(57)【要約】【目的】  屋根パネル、雨仕舞役物を互いにジョイントするに当たって、作業者が建物の外側のみから極めて容易にジョイント作業を行うことができる方法及びこれに使用する防水継手材を提供する。【構成】  屋根パネル、雨仕舞役物の互いに対向する端辺にそれぞれ柔軟性及び防水性を有するシート状の防水継手材の固定端辺を固定しておくと共に、前記各防水継手材の前記固定端辺と反対側の自由端辺に、他の防水継手材と接合するための粘着部を設けておくものである。【選択図】    図１
2007192009.tif 000002
【特許請求の範囲】
【請求項１】
「防水シートの上方の位置に、所定の空間を介して互いに隣り合うように配置された、各屋根パネル同士」を互いにジョイントするための屋根パネルのジョイント方法であって、
予め工場で、少なくとも前記各屋根パネルの互いに対向する端辺にそれぞれ柔軟性及び防水性を有するシート状の防水継手材の固定端辺を固定しておくと共に、前記各防水継手材の前記固定端辺と反対側の自由端辺を前記各防水継手材が固定されている各屋根パネルから離れた位置に配置したときの前記自由端辺の建物の内側と対向する面に、他の防水継手材と接合するための粘着部を設けておく準備工程と、
建物への屋根パネルの取り付け作業の現場で、前記の互いに隣り合う各屋根パネルに固定されている各防水継手材の前記自由端辺を、建物の外側方向に移動させる工程と、
前記の移動させた各自由端辺の粘着部同士を互いに対向させる工程と、
前記の互いに対向させた各粘着部に対して、それらが互いに接近する方向に力を加えることにより、前記各粘着部を互いに接合させる工程と、
前記の互いに接合された粘着部により繋がれた各自由端辺を前記の互いに隣り合う各屋根パネルの間の所定の空間の中に配置させる工程と、
を含むことを特徴とする、屋根パネルのジョイント方法。
【請求項２】
請求項１において、前記各粘着部を互いに接合させた後、前記互いに接合された粘着部の接合をより確実に継続させるために、前記の互いに接合された粘着部及び自由端辺の上から、断面略Ｕ字状の固定具を被せて挟み込む工程、をも含むことを特徴とする、屋根パネルのジョイント方法。
【請求項３】
柔軟性及び防水性を有するシート素材から成る屋根パネル用の防水継手材であって、屋根パネルの少なくとも一つの端辺に自らの固定端辺が固定され、「前記固定端辺の反対側の自由端辺の一方の面であって、前記自由端辺を自らが固定されている屋根パネルから離れた位置に配置したときの前記自由端辺の建物の内側と対向する面」に粘着部が設けられている、ことを特徴とする屋根パネル用の防水継手材。
【請求項４】
「防水シートの上方の位置に、所定の空間を介して互いに隣り合うように配置された、上段側屋根パネル及び下段側屋根パネル」を互いにジョイントするための屋根パネルのジョイント方法であって、
予め工場で、少なくとも前記上段側屋根パネルの下段側屋根パネルと対向する端辺に柔軟性及び防水性を有するシート状の防水継手材の固定端辺を固定し、これと反対側の自由端辺を前記上段側屋根パネルの下側の位置に前記上段側屋根パネルの下面と平行に配置したときの自由端辺の前記上段側屋根パネルの下面と対向する面に粘着部を設けておくと共に、少なくとも前記下段側屋根パネルの上段側屋根パネルと対向する端辺に柔軟性及び防水性を有するシート状の防水継手材の固定端辺を固定し、これと反対側の自由端辺を前記下段側屋根パネルの上側の位置に前記下段側屋根パネルの上面と平行に配置したときの自由端辺の前記下段側屋根パネルの上面と反対側の面に粘着部を設けておく準備工程と、
建物への屋根パネルの取り付け作業の現場で、前記の互いに隣り合う各屋根パネルに固定されている各防水継手材の前記自由端辺を、建物の外側方向に移動させる工程と、
前記の移動させた各自由端辺の粘着部同士を互いに対向させる工程と、
前記の互いに対向させた各粘着部に対して、それらが互いに接近する方向に力を加えることにより、前記各粘着部を互いに接合させる工程と、
前記の互いに接合された粘着部により繋がれた各自由端辺を前記の互いに隣り合う各屋根パネルの間の所定の空間の中に配置させる工程と、
を含むことを特徴とする、屋根パネルのジョイント方法。
【請求項５】
請求項４において、前記各粘着部を互いに接合させた後、前記の互いに接合された粘着部の接合をより確実に継続させるために、前記の互いに接合された粘着部及び自由端辺の上から、断面略Ｕ字状の固定具を被せて挟み込む工程、をも含むことを特徴とする、屋根パネルのジョイント方法。
【請求項６】
柔軟性及び防水性を有するシート素材から成り、所定の空間を介して互いに隣り合う上段側屋根パネルと下段側屋根パネルとを互いにジョイントするための屋根パネル用の防水継手材であって、上段側屋根パネルの少なくとも一つの端辺に自らの固定端辺が固定されており、「前記固定端辺の反対側の自由端辺の一方の面であって、前記自由端辺を上段側屋根パネルの下側の位置に上段側屋根パネルの下面と平行に配置したときの自由端辺の上段側屋根パネルの下面と対向する面」に、他の防水継手材と接合するための粘着部が設けられている、ことを特徴とする屋根パネル用の防水継手材。
【請求項７】
柔軟性及び防水性を有するシート素材から成り、所定の空間を介して互いに隣り合う上段側屋根パネルと下段側屋根パネルとを互いにジョイントするための屋根パネル用の防水継手材であって、下段側屋根パネルの少なくとも一つの端辺に自らの固定端辺が固定されおり、「前記固定端辺の反対側の自由端辺の一方の面であって、前記自由端辺を下段側屋根パネルの下側の位置に下段側屋根パネルの上面と平行に配置したときの自由端辺の下段側屋根パネルの上面と反対側の面」に、他の防水継手材と接合するための粘着部が設けられている、ことを特徴とする屋根パネル用の防水継手材。
【請求項８】
「屋根パネル又は雨仕舞役物」とこれと所定の空間を介して隣り合う他の「屋根パネル又は雨仕舞役物」を互いにジョイントするための各「屋根パネル又は雨仕舞役物」のジョイント方法であって、
予め工場で、前記「屋根パネル又は雨仕舞役物」又は前記他の「屋根パネル又は雨仕舞役物」の互いに対向する端辺にそれぞれ柔軟性及び防水性を有するシート状の防水継手材の固定端辺を固定しておくと共に、前記各防水継手材の前記固定端辺と反対側の自由端辺を前記各防水継手材が固定されている各「屋根パネル又は雨仕舞役物」から離れた位置に配置したときの前記自由端辺の建物の内側と対向する面に、他の防水継手材と接合するための粘着部を設けておく工程と、
建物への「屋根パネル又は雨仕舞役物」の取り付け作業の現場で、前記の互いに隣り合う各「屋根パネル又は雨仕舞役物」に固定されている各防水継手材の前記自由端辺を、建物の外側方向に移動させる工程と、
前記の移動させた各自由端辺の粘着部同士を互いに対向させる工程と、
前記の互いに対向させた各粘着部に対して、それらが互いに接近する方向に力を加えることにより、前記各粘着部を互いに接合させる工程と、
前記の互いに接合された粘着部により繋がれた各自由端辺を前記の互いに隣り合う各「屋根パネル又は雨仕舞役物」の間の所定の空間の中に配置させる工程と、
を含むことを特徴とする、各「屋根パネル又は雨仕舞役物」のジョイント方法。
【請求項９】
請求項８において、前記各粘着部を互いに接合させた後、前記互いに接合された粘着部の接合をより確実に継続させるために、前記の互いに接合された粘着部及び自由端辺の上から、断面略Ｕ字状の固定具を被せて挟み込む工程、をも含むことを特徴とする、各「屋根パネル又は雨仕舞役物」のジョイント方法。
【請求項１０】
各「屋根パネル又は雨仕舞役物」用の防水継手材であって、柔軟性及び防水性を有するシート素材から成り、前記各「屋根パネル又は雨仕舞役物」の少なくとも一つの端辺に自らの固定端辺が固定され、前記固定端辺の反対側の自由端辺の一方の面であって、前記自由端辺を自らが固定されている各「屋根パネル又は雨仕舞役物」から離れた位置に配置したときの前記自由端辺の建物の内側と対向する面に、粘着部が設けられている、ことを特徴とする「屋根パネル又は雨仕舞役物」用の防水継手材。
【発明の詳細な説明】
【技術分野】
【０００１】
本発明は、屋根パネル又は雨仕舞役物のジョイント方法、これらに適用するのに適した建築パネル用の防水継手（継ぎ手）材に関する。
【背景技術】
【０００２】
従来より、互いに隣り合う屋根パネル同士又は外壁パネル同士を互いに離れないように接続するための方法が、複数提案されている。例えば、特許文献１（図１８参照）は、互いに隣り合う上段に位置する上段屋根パネルと下段に位置する下段屋根パネルとを接続するために、「その上端が上段屋根パネル２の先端部材５と立ち上がり段２ａとの間の隙間に納められ、その軒側方向の先端が下段屋根パネル２の横葺き屋根材６に係合しているＬ字型屋根材７」を採用している。また、特許文献１では、各横葺き屋根材６の下方に「防水シート４」を敷いて、防水している。
【特許文献１】特許第２５７７６９３号公報
【発明の開示】
【発明が解決しようとする課題】
【０００３】
しかしながら、前記特許文献１に示すようなＬ字型屋根材７を使用して互いに隣り合う屋根パネル同士を互いに離れないように接続する場合は、前記Ｌ字型屋根材７の屋根パネル９への取り付け動作を、上段屋根パネル２の下段屋根パネル２の上端部への設置動作と互いに関連付けながら同時に行うという複雑で高度な作業が必要であり、作業性が悪く、相当の熟練者でないと担当できないという問題がある。
また、前記特許文献１の方法による場合は、前記Ｌ字型屋根材７による接続部分は防水性が不十分で前記Ｌ字型屋根材と各屋根パネルとの隙間から雨水などが浸入する可能性があること、及び、前記各横葺き屋根材６の下方に敷かれている前記「防水シート４」は紙製などの物理的に弱い材質のものが多いこと、などから屋根の完全な防水ができない、という問題がある。
【０００４】
本発明はこのような従来技術の問題点に着目して為されたものであって、互いに隣り合う屋根パネル同士を互いにジョイントするに当たって、作業者が、建物の外側のみから、極めて容易にジョイント作業を行うことができ、しかも各屋根パネルの間を完全に防水することができる、屋根パネル又は雨仕舞役物のジョイント方法、及びこの方法に適した用防水継手材を提供することを目的とする。
【０００５】
また、本発明は、互いに隣り合う外壁パネル同士を互いにジョイントするに当たって、作業者が、戸外に足場を立てることなく、建物の内側のみに位置しながら、極めて容易にジョイント作業を行うことができ、しかも各外壁パネルの間を完全に防水することができる、外壁パネルのジョイント方法、この方法に使用するのに適した用防水継手材、及び、外壁パネルを提供することを目的とする。
【課題を解決するための手段】
【０００６】
（１）本発明による外壁パネルのジョイント方法は、所定の空間を介して互いに隣り合う外壁パネル同士を互いにジョイントするための外壁パネルのジョイント方法であって、予め工場で、少なくとも前記各外壁パネルの互いに対向する端辺にそれぞれ柔軟性及び防水性を有するシート状の防水継手（継ぎ手）材の固定端辺を固定しておくと共に、前記各防水継手材の前記固定端辺と反対側の自由端辺を前記各防水継手材が固定されている各外壁パネルから離れた位置に配置したときの前記自由端辺の建物の外側の面に、他の防水継手材と接合するための粘着部を設けておく準備工程と、建物への外壁パネルの取り付け作業の現場で、前記の互いに隣り合う各外壁パネルに固定されている各防水継手材の前記自由端辺を、建物の内側方向に移動させる工程と、前記の移動させた各自由端辺の前記粘着部同士を互いに対向させる工程と、前記の互いに対向させた前記各粘着部に対して、それらが互いに接近する方向に力を加えることにより、前記各粘着部を互いに接合させる工程と、前記互いに接合された粘着部により繋がれた前記各自由端辺を前記の互いに隣り合う各外壁パネルの間の所定の空間の中に配置させる工程と、を含むことを特徴とするものである。
【０００７】
また、本発明による外壁パネルのジョイント方法においては、前記各粘着部を互いに接合させた後、前記互いに接合された粘着部の接合をより確実に継続させるために、前記互いに接合された粘着部及び自由端辺の上から、断面略Ｕ字状の固定具を被せて挟み込む（圧着する）工程、をも含むことが望ましい。
【０００８】
また、本発明による外壁パネルのジョイント方法においては、前記準備工程と同時に又は相前後して、前記各外壁パネルの少なくとも一方の外壁パネルの他方の外壁パネルと対向する外側端部の近傍部分に、他方の外壁パネルとの間の空間への日光の差し込みを遮断して前記防水継手材の劣化を防止するための蓋部を取り付けておく（一時的に仮に取り付けておく場合をも含む）工程、をも含むことが望ましい。
【０００９】
また、本発明による外壁パネル用の防水継手材は、柔軟性及び防水性を有するシート素材から成り、外壁パネルの少なくとも一つの端辺にその固定端辺が固定され、前記固定端辺の反対側の自由端辺の一方の面であって、前記自由端辺を自らが固定されている外壁パネルから離れた位置に配置したときの前記自由端辺の建物の外側に対向する面に、他の防水継手材と接合するための粘着部が設けられているものである。
【００１０】
また、本発明による外壁パネルは、（１）建物の外壁位置に配置されたときに隣り合う他の外壁パネルと対向する部分又はその近傍に、「柔軟性及び防水性を有するシート素材から成る防水継手材であって、外壁パネルの少なくとも一つの端辺に自らの固定端辺が固定され、前記固定端辺の反対側の自由端辺の一方の面であって、前記自由端辺を前記の自らが固定されている外壁パネルから離れた位置に配置したときの前記自由端辺の建物の外側に対向する面に、他の防水継手材と接合するための粘着部が設けられている防水継手材」が固定されており、且つ、（２）建物の外壁位置に配置されたときに隣り合う他の外壁パネルと対向する外側端部の近傍部分に、前記他の外壁パネルとの間の空間への外部からの日光の差し込みを遮断して前記防水継手材の劣化を防止するための蓋部が取り付けられている（一時的に仮に取り付けられている場合をも含む）ものである。
【００１１】
（２）また、本発明による屋根パネルのジョイント方法は、「防水シートの上方の位置に、所定の空間を介して互いに隣り合うように配置された、各屋根パネル同士」を互いにジョイントするための屋根パネルのジョイント方法であって、予め工場で、少なくとも前記各屋根パネルの互いに対向する端辺にそれぞれ柔軟性及び防水性を有するシート状の防水継手材の固定端辺を固定しておくと共に、前記各防水継手材の前記固定端辺と反対側の自由端辺を前記各防水継手材が固定されている各屋根パネルから離れた位置に配置したときの前記自由端辺の建物の内側と対向する面に、他の防水継手材と接合するための粘着部を設けておく工程と、建物への屋根パネルの取り付け作業の現場で、前記の互いに隣り合う各屋根パネルに固定されている各防水継手材の前記自由端辺を、建物の外側方向に移動させる工程と、前記の移動させた各自由端辺の前記粘着部同士を互いに対向させる工程と、前記の互いに対向させた前記各粘着部に対して、それらが互いに接近する方向に力を加えることにより、前記各粘着部を互いに接合させる工程と、前記互いに接合された粘着部により繋がれた前記各自由端辺を前記の互いに隣り合う各屋根パネルの間の所定の空間の中に配置させる工程と、を含むことを特徴とするものである。
【００１２】
また、本発明による屋根パネルのジョイント方法においては、前記各粘着部を互いに接合させた後、前記互いに接合された粘着部の接合をより確実に継続させるために、前記互いに接合された粘着部及び自由端辺の上から、断面略Ｕ字状の固定具を被せて挟み込む（圧着する）工程、をも含むことが望ましい。
【００１３】
また、本発明による屋根パネル用防水継手材は、柔軟性及び防水性を有するシート素材から成り、屋根パネルの少なくとも一つの端辺にその固定端辺が固定され、前記固定端辺の反対側の自由端辺の一方の面であって、前記自由端辺を自らが固定されている屋根パネルから離れた位置に配置したときの前記自由端辺の建物の内側と対向する面に粘着部が設けられているものである。
【００１４】
（３）また、本発明による屋根パネルのジョイント方法は、「防水シートの上方の位置に、所定の空間を介して互いに隣り合うように配置された、上段側屋根パネル及び下段側屋根パネル」を互いにジョイントするための屋根パネルのジョイント方法であって、予め工場で、少なくとも前記上段側屋根パネルの下段側屋根パネルと対向する端辺に柔軟性及び防水性を有するシート状の防水継手材の固定端辺を固定し、これと反対側の自由端辺を前記上段側屋根パネルの下面と平行に配置したときの自由端辺の前記上段側屋根パネルの下面と対向する面に粘着部を設けておくと共に、少なくとも前記下段側屋根パネルの上段側屋根パネルと対向する端辺に柔軟性及び防水性を有するシート状の防水継手材の固定端辺を固定し、これと反対側の自由端辺を前記下段側屋根パネルの上面と平行に配置したときの自由端辺の前記下段側屋根パネルの上面と反対側の面に粘着部を設けておく工程と、建物への屋根パネルの取り付け作業の現場で、前記の互いに隣り合う各屋根パネルに固定されている各防水継手材の前記自由端辺を、建物の外側方向に移動させる工程と、前記の移動させた各自由端辺の前記粘着部同士を互いに対向させる工程と、前記の互いに対向させた前記各粘着部に対して、それらが互いに接近する方向に力を加えることにより、前記各粘着部を互いに接合させる工程と、前記互いに接合された粘着部により繋がれた前記各自由端辺を前記の互いに隣り合う各屋根パネルの間の所定の空間の中に配置させる工程と、を含むことを特徴とするものである。
【００１５】
また、本発明による屋根パネルのジョイント方法においては、前記各粘着部を互いに接合させた後、前記互いに接合された粘着部の接合をより確実に継続させるために、前記互いに接合された粘着部及び自由端辺の上から、断面略Ｕ字状の固定具を被せて挟み込む（圧着する）工程、をも含むことが望ましい。
【００１６】
また、本発明による屋根パネル用防水継手材は、柔軟性及び防水性を有するシート素材から成り、上段側屋根パネルの少なくとも一つの端辺にその固定端辺が固定され、前記固定端辺の反対側の自由端辺の一方の面であって、前記自由端辺を上段側屋根パネルの下面と平行に配置したときの上段側屋根パネルの下面と対向する面に、他の防水継手材と接合するための粘着部が設けられているものである。
【００１７】
また、本発明による屋根パネル用防水継手材は、柔軟性及び防水性を有するシート素材から成り、下段側屋根パネルの少なくとも一つの端辺にその固定端辺が固定され、前記固定端辺の反対側の自由端辺の一方の面であって、前記自由端辺を下段側屋根パネルの上面と平行に配置したときの下段側屋根パネルの上面と反対側の面に、他の防水継手材と接合するための粘着部が設けられているものである。
【００１８】
（４）さらに、本発明による各「屋根パネル又は雨仕舞役物（雨仕舞役物とは、屋根の一部を構成する「水切、谷樋、ケラバ包み、笠木、軒包みなどの、雨が建物に入らないようにするために役立つ物」をいう）」のジョイント方法は、「屋根パネル又は雨仕舞役物」とこれと所定の空間を介して隣り合う他の「屋根パネル又は雨仕舞役物」を互いにジョイントするための各「屋根パネル又は雨仕舞役物」のジョイント方法であって、予め工場で、前記「屋根パネル又は雨仕舞役物」又は前記他の「屋根パネル又は雨仕舞役物」の互いに対向する端辺にそれぞれ柔軟性及び防水性を有するシート状の防水継手材の固定端辺を固定しておくと共に、前記各防水継手材の前記固定端辺と反対側の自由端辺を前記各防水継手材が固定されている各「屋根パネル又は雨仕舞役物」から離れた位置に配置したときの前記自由端辺の建物の内側と対向する面に、他の防水継手材と接合するための粘着部を設けておく工程と、建物への「屋根パネル又は雨仕舞役物」の取り付け作業の現場で、前記の互いに隣り合う各「屋根パネル又は雨仕舞役物」に固定されている各防水継手材の前記自由端辺を、建物の外側方向に移動させる工程と、前記の移動させた各自由端辺の前記粘着部同士を互いに対向させる工程と、前記の互いに対向させた前記各粘着部に対して、それらが互いに接近する方向に力を加えることにより、前記各粘着部を互いに接合させる工程と、前記互いに接合された粘着部により繋がれた前記各自由端辺を前記の互いに隣り合う各「屋根パネル又は雨仕舞役物」の間の所定の空間の中に配置させる工程と、を含むことを特徴とするものである。
【００１９】
また、本発明による各「屋根パネル又は雨仕舞役物」のジョイント方法においては、前記各粘着部を互いに接合させた後、前記互いに接合された粘着部の接合をより確実に継続させるために、前記互いに接合された粘着部及び自由端辺の上から、断面略Ｕ字状の固定具を被せて挟み込む（圧着する）工程、をも含むことが望ましい。
【００２０】
また、本発明による各「屋根パネル又は雨仕舞役物」の防水継手材は、柔軟性及び防水性を有するシート素材から成り、前記各「屋根パネル又は雨仕舞役物」の少なくとも一つの端辺にその固定端辺が固定され、前記固定端辺の反対側の自由端辺の一方の面であって、前記自由端辺を自らが固定されている各「屋根パネル又は雨仕舞役物」から離れた位置に配置したときの前記自由端辺の建物の内側と対向する面に粘着部が設けられているものである。
【発明の効果】
【００２１】
（１）本発明の外壁パネルのジョイント方法及びそれに適した防水継手材においては、各防水継手材の自由端辺を前記各外壁パネル間の空間から建物の内側方向に移動させて互いに対向させたとき、前記各自由端辺にそれぞれ設けられた各粘着部が互いに「拝み合わせ状態」に対向された状態となる。よって、本発明では、作業者は、前記空間の建物の内側から（足場を必要としないで）、自分の両手の指先などを使用して、前記各粘着部をそれらが互いに近づく方向に押し付けるだけで、特に強い力を必要とすることなく、極めて容易に、前記の互いに「拝み合わせ状態」に対向された各粘着部を接合することができる。したがって、本発明によれば、前記各外壁パネル（２階以上の高層階の外壁パネルを含む）のジョイントのための作業を、全て、作業者が建物の内側に居るままで行うことができる（２階以上の高層階の外壁パネルのジョイントのために屋外に「足場」を立てることが全く不要になる）というメリットが得られる。
また、特に、本発明においては、前記各防水継手材の粘着部同士の接合による「完全に防水された状態での（前記防水継手材による）各外壁パネル同士のジョイント」を達成している。よって、本発明によれば、前記外壁パネル同士のジョイント部分（前記防水継手材によるジョイント部分）の完全な防水を達成することができる（従来は、各外壁パネル間の継手材によるジョイント部分を完全に防水することは、できなかった）。
【００２２】
また、本発明において、前記の互いに「拝み合わせ状態」に対向された各粘着部を接合した後に、前記断面略Ｕ字状の固定具を取り付けるようにしたときは、前記各粘着部間の接合をより長期的に保持できるようになる（前記各粘着部を本発明のように互いに「拝み合わせ状態」に対向された状態で接合しない場合は、前記断面略Ｕ字状の固定具を取り付けることはできない）。
【００２３】
また、本発明による外壁パネルジョイント方法、防水継手材、及び外壁パネルにおいて、少なくとも一方の外壁パネルの外側端部近傍に他の外壁パネルとの間の空間への日光の差し込みを遮断するための蓋部を予め取り付けておくようにしたときは、前記各外壁パネルのジョイントを行った時点で、自動的に、前記各外壁パネルの間の空間への日光の差し込みを遮断して前記防水継手材の劣化を防止するための蓋部が配置されるようになる。よって、本発明によれば、２階以上の高層階の外壁パネルの取り付け・ジョイント作業を行う場合に、作業者は、各外壁パネル間の空間の蓋部の取り付け作業をも、建物の内部からの作業のみで完了することができる。よって、本発明によれば、外壁パネルの取付け・ジョイントのための前記蓋部の取付けをも含む全ての作業を、作業者が建物の内部に位置しながら（すなわち、戸外に高所作業用の「足場」を立てることを必要としないで）、完了することができる。
【００２４】
（２）本発明の屋根パネルのジョイント方法及びそれに適した防水継手材においては、各防水継手材の自由端辺を前記各屋根パネル間の空間から建物の外側方向に移動させて互いに対向させたとき、前記各自由端辺にそれぞれ設けられた各粘着部が互いに「拝み合わせ状態」に対向された状態となる。よって、本発明では、作業者は、建物の外側で、自分の両手の指先などを使用して、前記各粘着部を互いに押し付けるだけで、特に強い力を必要とすることなく、極めて容易に、前記の互いに「拝み合わせ状態」に対向された各粘着部を接合することができる。したがって、本発明によれば、前記各屋根パネルのジョイントのための作業を、全て、建物の屋根の上のみで行うことができる（各屋根パネルのジョイントのために屋内から行う作業が全く不要になる）というメリットが得られる。
また、特に、本発明においては、前記「防水シート」の上方の位置に配置された各屋根パネル間について、前記各防水継手材の粘着部同士の接合による「完全に防水された状態での（前記防水継手材による）各屋根パネル同士のジョイント」を達成している（従来は、各屋根パネル間の継手材によるジョイント部分を完全に防水することは、できなかった）。よって、本発明によれば、（ａ）前記粘着部の接合により防水された状態での前記防水継手材による各屋根パネル同士の「防水されたジョイント部分」と、（ｂ）前記各屋根パネルの下方の位置に配置されている防水シートと、の「二重の防水」が行われることになるので、屋根の完全な防水が達成できる。
【００２５】
また、本発明において、前記の互いに「拝み合わせ状態」に対向された各粘着部を接合した後に、前記断面略Ｕ字状の固定具を取り付けるようにしたときは、前記各粘着部間の接合をより長期的に保持できるようになる（前記各粘着部を本発明のように互いに「拝み合わせ状態」に対向された状態で接合しない場合は、前記断面略Ｕ字状の固定具を取り付けることはできない）。
【００２６】
（３）本発明の屋根パネルのジョイント方法及びそれに適した防水継手材においては、各防水継手材の自由端辺を前記各屋根パネル間の空間から建物の外側方向に移動させて互いに対向させたとき、前記各自由端辺にそれぞれ設けられた各粘着部が互いに「拝み合わせ状態」に対向された状態となる。よって、本発明では、作業者は、建物の外側で、自分の両手の指先などを使用して、前記各粘着部を互いに近づく方向に押し付けるだけで、特に強い力を必要とすることなく、極めて容易に、前記の互いに「拝み合わせ状態」に対向された各粘着部を接合することができる。したがって、本発明によれば、前記各屋根パネルのジョイントのための作業を、全て、建物の屋根の上のみで行うことができる（各屋根パネルのジョイントのために屋内から行う作業が全く不要になる）というメリットが得られる。
また、特に、本発明においては、前記「防水シート」の上方の位置に配置された各屋根パネル間について、前記各防水継手材の粘着部同士の接合による「完全に防水された状態での（前記防水継手材による）各屋根パネル同士のジョイント」を達成している（従来は、各屋根パネル間の継手材によるジョイント部分を完全に防水することは、できなかった）。よって、本発明によれば、（ａ）前記粘着部の接合により防水された状態での前記防水継手材による各屋根パネル同士の「防水されたジョイント部分」と、（ｂ）前記各屋根パネルの下方の位置に配置されている防水シートと、の「二重の防水」が行われることになるので、屋根の完全な防水が達成できる。
【００２７】
また、本発明において、前記の互いに「拝み合わせ状態」に対向された各粘着部を接合した後に、前記断面略Ｕ字状の固定具を取り付けるようにしたときは、前記各粘着部間の接合をより長期的に保持できるようになる（前記各粘着部を本発明のように互いに「拝み合わせ状態」に対向された状態で接合しない場合は、前記断面略Ｕ字状の固定具を取り付けることはできない）。
【００２８】
（４）本発明の各「屋根パネル又は雨仕舞役物（雨仕舞役物とは、屋根の一部を構成する「水切、谷樋、ケラバ包み、笠木、軒包みなどの、雨が建物に入らないようにするために役立つ物」をいう）」のジョイント方法及びそれに適した防水継手材においては、各防水継手材の自由端辺を前記各「屋根パネル又は雨仕舞役物」間の空間から建物の外側方向に移動させて互いに対向させたとき、前記各自由端辺にそれぞれ設けられた各粘着部が互いに「拝み合わせ状態」に対向された状態となる。よって、本発明では、作業者は、建物の外側で、自分の両手の指先などを使用して、前記各粘着部を互いに押し付けるだけで、特に強い力を必要とすることなく、極めて容易に、前記の互いに「拝み合わせ状態」に対向された各粘着部を接合することができる。したがって、本発明によれば、前記各「屋根パネル又は雨仕舞役物」のジョイントのための作業を、全て、建物の外側のみで行うことができる（各「屋根パネル又は雨仕舞役物」のジョイントのために屋内から行う作業が全く不要になる）というメリットが得られる。
また、特に、本発明においては、前記各防水継手材の粘着部同士の接合による「完全に防水された状態での（前記防水継手材による）各「屋根パネル又は雨仕舞役物」同士のジョイント」を達成している（従来は、各「屋根パネル又は雨仕舞役物」同士間の継手材によるジョイント部分を完全に防水することは、できなかった）。よって、本発明によれば、前記「屋根パネル又は雨仕舞役物」同士のジョイント部分（前記防水継手材によるジョイント部分）の完全な防水を達成することができる。
また、本発明において、各「屋根パネル又は雨仕舞役物」同士間のジョイント部分の下方に「防水シート」を配置するようにしたときは、（ａ）前記粘着部の接合により防水された状態での前記防水継手材による各「屋根パネル又は雨仕舞役物」同士の「防水されたジョイント部分」と、（ｂ）前記各「屋根パネル又は雨仕舞役物」の下方の位置に配置されている「防水シート」と、による「二重の防水」が行われることになるので、屋根の完全な防水が達成できる。なお、従来より、屋根の水切り、谷樋、及びケラバ包みは屋根パネルと連続的に配置されるので、その下方に防水シートが配置されることが多い。また、従来より、笠木の下方に防水シートを配置することも多くのケースで行われている。
【００２９】
また、本発明において、前記の互いに「拝み合わせ状態」に対向された各粘着部を接合した後に、前記断面略Ｕ字状の固定具を取り付けるようにしたときは、前記各粘着部間の接合をより長期的に保持できるようになる（前記各粘着部を本発明のように互いに「拝み合わせ状態」に対向された状態で接合しない場合は、前記断面略Ｕ字状の固定具を取り付けることはできない）。
【発明を実施するための最良の形態】
【００３０】
本発明を実施するための最良の形態は、例えば以下の実施例１について述べるような形態である。
【実施例１】
【００３１】
図１は本発明の実施例１による屋根パネル同士の防水継手材を説明するための図である。図１において、１は例えば金属製など（セメント系などでもよい）の屋根パネル、２は前記屋根パネルの外周に固定されたシート状の防水継手材、である。図１では、前記各屋根パネル１と各防水継手材２は互いに離れた位置に示しているが、建物の屋根を建築するときは、前記各屋根パネル１を所定間隔で近づけて配置して、互いに隣り合う屋根パネル１の防水継手材２同士を後述の方法で接合させることにより、前記各屋根パネル１をジョイントする。
【００３２】
図２は本実施例１による各屋根パネル１のジョイント方法を説明するための図である。図２において、１，１１は金属製の屋根パネル、３は屋根垂木、４は母屋材、５は防水シート、６，１６は前記各屋根パネル１，１１の基底部１ａ，１１ａをそれぞれ前記防水シート５及び屋根垂木３に固定するための取付けビス、２，１２は前記各屋根パネル１，１１の突部１ｂ，１１ｂにその一端辺（固定端辺）が固定されたシート状の例えばプラスチック製の防水継手材、７，７ａは前記防水継手材２，１２の各固定端辺をそれぞれ前記各屋根パネル１，１１の突部１ｂ，１１ｂに確実に固定するための断面略Ｕ字状の金属製の取付金具、である。
【００３３】
本実施例１では、前記各防水継手材２，１２の前記固定端辺と反対側の端部（自由端辺）２ａ，１２ａの一方の面に、それぞれ粘着部８，１８が備えられている。また、図３に拡大して示すように、前記粘着部８，１８は、前記防水継手材２，１２の自由端辺２ａ，１２ａを自身が固定されている屋根パネル１，１１から離れる方向に配置したとき、前記自由端辺２ａ，１２ａの建物の内側と対向する面（図示下方の面）に備えられている。また、前記粘着部８，１８は、例えば自己融着テープやブチルテープなどに使用されているものであって、互いに圧着されることにより一体化され強く接合される性質を有しているものである。
【００３４】
次に、本実施例１による各屋根パネルのジョイント方法を図２を参照して具体的に説明する。今、図２（ａ）に示すように、２つの屋根パネル１，１１が互いに隣り合うように屋根垂木３上に配置され、前記取付けビス１ａ，１１ａにより屋根垂木３に固定されているとする。なお、図２（ａ）においては、図示の便宜上、各屋根パネル１，１１を互いに水平方向に配置されたように描いているが、フラット屋根ではない勾配のある屋根の場合は斜め方向に配置されることになる。この場合、屋根上の作業者は、前記各屋根パネル１，１１の間の空間Ａ内に在る前記各防水継手材２，１２の自由端辺１２ａ，１２ａを建物の外側方向（図示上方）に移動させて、互いに対向させる。すると、前記各自由端辺２ａ，１２ａの各粘着部８，１８が互いに対向する状態（拝み合わせ状態）となる（図２（ａ）の状態）。
【００３５】
次に、図２（ｂ）に示すように、作業者は、前記の拝み合わせ状態に対向している各粘着部２ａ，１２ａを互いに圧着し接合する。この作業は、作業者が前記空間Ａ内に両手を入れて行えばよいので、屋根の上からでも極めて容易に行うことができる。
【００３６】
次に、図２（ｃ）に示すように、前記互いに圧着・接合された粘着部８，１８がより確実に且つ長期的に接合・融合状態を維持できるように、それらの上に断面略Ｕ字状の金属製固定金具１９を固定させる。前記固定金具１９は、アルミニウム、ステンレスなどの金属製シートをＵ字状に成型したものを、前記互いに接合された粘着部８，１８の上に被せた上で外圧を加えて挟み込んだものである。
【００３７】
次に、図２（ｃ）に示すように、前記各屋根パネル１，１１の互いに対向する上端部１ａ，１１ａに形成された凹部に、金属製などの蓋１３を載置し、ビスなどで固定する。この蓋１３は、日光を遮光することにより、前記プラスチック製の防水継手材２，１２が紫外線などで劣化することを防止するためのものである。
【００３８】
以上のように、本実施例１では、前記各防水継手材２，１２の自由端辺２ａ，１２ａを前記各屋根パネル１，１１間の空間Ａから建物の外側方向に引き出して互いに対向させたとき、前記各自由端辺２ａ，１２ａにそれぞれ形成された各粘着部８，１８が互いに「拝み合わせ状態」に対向された状態となる。よって、本実施例１では、作業者は、前記空間Ａの建物の外側で、自分の両手の指先などを使用して、前記各粘着部８，１８を互いに近づく方向に押し付けるだけで、特に強い力を必要とすることなく、極めて容易に、前記の互いに「拝み合わせ状態」に対向された各粘着部８，１８を接合することができる。
【００３９】
したがって、また、本実施例１では、前述のように、前記防水継手材２，１２を建物の外側方向に取り出して、前記各防水継手材２，１２の自由端辺２ａ，１２ａを互いに「拝み合わせ状態」に接合し、遮光用の蓋１３をするだけで、前記各屋根パネル１，１１のジョイントを完了することができる。よって、本実施例１によれば、前記各屋根パネル１，１１のジョイントのための作業を、全て、建物の屋根の上のみで行うことができる（各屋根パネルのジョイントのために屋内から行う作業が全く不要になる）というメリットが得られる。
【００４０】
また、本実施例１では、前述のように、前記の互いに「拝み合わせ状態」に対向された各粘着部８，１８を接合した後に、前記の断面略Ｕ字状の固定金具１９を取り付けるようにしているので、前記各粘着部８，１８間の接合をより長期的に保持できるようになる（前記各粘着部８，１８を本実施例１のように互いに「拝み合わせ状態」に対向された状態で接合しない場合は、前記の断面略Ｕ字状の固定金具１９を取り付けることはできない）。
【実施例２】
【００４１】
次に、図４は本発明の実施例２を説明するための図である。本実施例２は前記の実施例１と基本的な構成は同様であるので、以下では異なる部分について説明する。本実施例２では、図４に示すように、実施例１と同様の防水継手材２及び１２の各固定端辺の両面にそれぞれ例えば合成樹脂製の柔軟な素材による緩衝材２ｃ及び１２ｃ，２ｄ及び１２ｄが配置されている。
前記緩衝材２ｃ及び１２ｃは、前記防水継手材２及び１２の各固定端辺と前記Ｕ字状固定金具７，１７との間に介装されて、前記防水継手材２及び１２の固定端辺が前記Ｕ字状固定金具７，１７によりしっかりと挟み込み・圧着されるように（柔軟な素材を介装させた方がしっかりと挟み込める）するため、また、前記防水継手材２及び１２の各固定端辺と前記Ｕ字状固定金具７，１７と直接に接触して切断されることがないようにするためのものである。
また、前記緩衝材２ｄ及び１２ｄは、前記防水継手材２及び１２の各固定端辺と前記各屋根パネル１，１１の突部１ｂ，１１ｂとの間に介装されて、前記防水継手材２及び１２の固定端辺が前記Ｕ字状固定金具７，１７によりしっかりと挟み込み・圧着されるように（柔軟な素材を介装させた方がしっかりと挟み込める）するため、また、前記防水継手材２及び１２の各固定端辺と前記Ｕ字状固定金具７，１７と直接に接触して切断されることがないようにするためのものである。
【００４２】
また、本実施例２では、図４に示すように、前記防水継手材２及び１２の各自由端辺２ａ，１２ａの前記Ｕ字状固定金具１９側の面にそれぞれ例えば合成樹脂製の柔軟な素材による緩衝材２ｅ及び１２ｅが配置されている。前記緩衝材２ｅ及び１２ｅは、前記防水継手材２及び１２の各自由端辺２ａ，１２ａと前記Ｕ字状固定金具１９との間に介装されて、前記防水継手材２及び１２の自由端辺２ａ，１２ａが前記Ｕ字状固定金具１９によりしっかりと挟み込み・圧着されるように（柔軟な素材を介装させた方がしっかりと挟み込める）するため、また、前記防水継手材２及び１２の各自由端辺２ａ，１２ａが前記Ｕ字状固定金具１９と直接に接触して切断されることがないようにするためのものである。以上に述べた点を除くと、本実施例２は前記実施例１と同様なので、これ以外の説明は省略する。
【実施例３】
【００４３】
次に、図５は本発明の実施例３による屋根パネルのジョイント方法を説明するための図である。図５において、２１，２２は例えばセメントなどの素材で製造された屋根パネルであって、所定の空間を介して互いに隣り合うように配置されている屋根パネルである。なお、前記屋根パネル２１，２２は、実際には屋根勾配に沿って斜め方向に配置されているが、図５では図示の便宜上から水平方向に示している。
【００４４】
また、図５において、２３，２４は前記各屋根パネル２１，２２の互いに対向する端部２１ａ，２２ａにその固定端辺２３ａ，２４ａが固定されている防水性及び柔軟性を備えた例えばプラスチック製の防水継手材、２５，２６は前記各防水継手材２３，２４の各固定端２３ａ，２４ａを前記各屋根パネル２１，２２の端部２１ａ，２２ａに固定するための取付金具、である。また、２７，２８，２９，３０は、前記各防水継手材２３，２４が前記各取付金具２５，２６によりしっかりと挟み込み・圧着されるようにするため、また前記各防水継手材２３，２４が前記各取付金具２５，２６と直接に接触して切断されないようにするための緩衝材、である。また、３１，３２は、前記各防水継手材２３，２４の前記取付金具２５，２６から離れている他端（自由端辺）２３ｂ，２４ｂにそれぞれ備えられている粘着部、である。
【００４５】
本実施例３では、図５（ａ）に示すように、図示上段の屋根パネル２１の前記下段の屋根パネル２２と対向する端部２１ａには、その下面側に前記防水継手材２３の固定端辺２３ａが固定され、前記防水継手材２３の自由端辺２３ｂの上面側（前記上段屋根パネル２１の下面と対向する面）に粘着部３１が形成されている。また、図示下段の屋根パネル２２の前記上段の屋根パネル２１と対向する端部２２ａには、その上面側に前記防水継手材２４の固定端辺２４ａが固定され、前記防水継手材２４の自由端辺２４ｂの上面側（前記下段屋根パネル２２の上面と反対側）に粘着部３２が形成されている。したがって、本実施例２では、図５（ｂ）に示すように、前記各防水継手材２３，２４の前記自由端辺２３ｂ，２４ｂを互いに対向させたときは、前記粘着部３１，３２が互いに対向する状態となる。
【００４６】
次に、本実施例３による前記各屋根パネル２１，２２のジョイント方法を図６を参照して具体的に説明する。まず、図６（ａ）に示すように、２つの屋根パネル２１，２２を、屋根垂木（図１の符号３参照）の上に、上下に少しずれた位置で互いに隣り合うように配置し、ビスなどで屋根垂木に固定させる。
【００４７】
次に、図６（ｂ）に示すように、前記各防水継手材２３，２４の自由端辺２３ｂ，２４ｂを、前記各屋根パネル２１，２２の間の空間Ａ（図６（ａ）参照）の建物の外側方向（図６の図示右方向）に移動させて、互いに対向させる。このとき、前記各防水継手材２３，２４の各自由端辺２３ｂ，２４ｂにそれぞれ備えられた前記各粘着部３１，３２は、互いに「拝み合わせ状態」に対向する。
【００４８】
次に、図６（ｃ）に示すように、前記互いに対向する各粘着部３１，３２同士を、それらが互いに近づく方向に押さえ付けて（例えば、作業者が自分の両手の指先などで、前記各防水継手材２３，２４の自由端辺２３ｂ，２４ｂを図示上方向及び下方向からそれぞれ互いに近づける方向に押し付けて）、圧着・接合させる。
【００４９】
次に、図６（ｄ）に示すように、前記互いに圧着・接合された粘着部３１，３２がより確実に且つ長期的に接合・融合状態を維持できるように、それらの上に断面略Ｕ字状の金属製の固定金具３３を固定させる。前記固定金具３３は、アルミニウム、ステンレスなどの金属製シートをＵ字状に成型したものを、前記互いに接合された粘着部３１，３２の上に被せた上で外圧を加えて挟み込んだものである。
【００５０】
次に、図６（ｄ）に示すように、前記各粘着部３１，３２を接合し固定金具３３を取り付けた自由端辺２３ｂ，２４ｂを、前記空間Ａの建物の内側方向（図６の図示左方向）に押し込んで、前記空間Ａと建物の外側とを蓋３４により遮断する。この蓋３４は、図示しないビスなどで前記取付金具２５及び屋根パネル２２に取り付けられる。前記蓋３４は、主として、日光を遮光することにより前記各防水継手材２３，２４が紫外線などで劣化してしまうことを防止するためのものである。
【００５１】
以上のように、本実施例３では、前記各防水継手材２３，２４の自由端辺２３ｂ，２４ｂを前記各屋根パネル２１，２２間の空間Ａから建物の外側方向に引き出して互いに対向させたとき、前記各自由端辺２３ｂ，２４ｂにそれぞれ形成された各粘着部３１，３２が互いに「拝み合わせ状態」に対向された状態となる。よって、本実施例３では、作業者は、前記空間Ａの建物の外側で、自分の両手の指先などを使用して、前記各粘着部３１，３２を互いに近づく方向に押し付けるだけで、特に強い力を必要とすることなく、極めて容易に、前記の互いに「拝み合わせ状態」に対向された各粘着部３１，３２を接合することができる。
【００５２】
したがって、また、本実施例３では、前述のように、前記防水継手材２３，２４を建物の外側方向に取り出して、前記各防水継手材２３，２４の自由端辺３１，３２を互いに「拝み合わせ状態」に接合し、遮光用の蓋をするだけで、前記各屋根パネル２１，２２のジョイントを完了することができる。よって、本実施例２によれば、前記各屋根パネル２１，２２のジョイントのための作業を、全て、建物の屋根の上のみで行うことができる（各屋根パネルのジョイントのために屋内から行う作業が全く不要になる）というメリットが得られる。
【００５３】
また、本実施例３では、前述のように、前記の互いに「拝み合わせ状態」に対向された各粘着部３１，３２を接合した後に、前記の断面略Ｕ字状の固定金具３３を取り付けるようにしているので、前記各粘着部３１，３２間の接合をより長期的に保持できるようになる（前記各粘着部３１，３２を本実施例１のように互いに「拝み合わせ状態」に対向された状態で接合しない場合は、前記の断面略Ｕ字状の固定金具３３を取り付けることはできない）。
【実施例４】
【００５４】
次に、図７は本発明の実施例４を説明するための図である。本実施例４は前記の実施例３と基本的な構成は同様であるので、以下では異なる部分について説明する。本実施例４では、図７に示すように、前記実施例３と同様の防水継手材２３，２４の各固定端辺２３ａ，２４ａの両面にそれぞれ例えば合成樹脂製の柔軟な素材による断面略Ｕ字状の緩衝材２７ａ，２８ａ，２９ａ，３０ａが配置されている。前記の断面略Ｕ字状の緩衝材２８ａ及び２９ａは、前記防水継手材２３及び２４の各固定端辺２３ａ，２４ａと前記Ｕ字状固定金具２５，２６との間に介装されて、前記防水継手材２３及び２４の固定端辺２３ａ，２４ａが前記Ｕ字状固定金具２５，２６によりしっかりと挟み込み・圧着されるようにするため、また前記防水継手材２３及び２４の固定端辺２３ａ，２４ａが前記Ｕ字状固定金具２５，２６と直接に接触して切断されることがないようにするためのものである。また、前記の断面略Ｕ字状の緩衝材２７ａ及び３０ａは、前記防水継手材２３及び２４の各固定端辺２３ａ，２４ａと前記各屋根パネル２１，２２の突部２１ａ，２２ａとの間に介装されて、前記防水継手材２３及び２４の固定端辺２３ａ，２４ａが前記Ｕ字状固定金具２５，２６によりしっかりと挟み込み・圧着されるようにするため、また前記防水継手材２３及び２４の固定端辺２３ａ，２４ａが前記各屋根パネル２１，２２の突部２１ａ，２２ａと直接に接触して切断されることがないようにするためのものである。以上に述べた点を除くと、本実施例４は前記実施例３と同様なので、これ以外の説明は省略する。
【実施例５】
【００５５】
次に、図８は本発明の実施例５による外壁パネル同士の防水継手材を説明するための図である。本実施例５による外壁パネルの防水継手材は、前記実施例１−４の屋根パネルの防水継手材と略同様に、各外壁パネルの外周に固定されたシート状の素材により構成されている。図８において、４１，５１は例えば金属やセメントなどで形成される外壁パネル、４１ａ，５１ａは建物の胴縁材に固定される外壁パネル４１，５１の基底部、４１ｂ，５１ｂは本実施例５の防水継手材が固定される突部、４２，５２はその一端（固定端辺）が前記突部４１ｂ，５１ｂに断面Ｕ字状固定金具により固定された例えばプラスチック製のシート状の防水継手材、４８，５８は前記防水継手材４２，５２の前記固定端辺と反対側の端部（自由端辺）４２ａ，５２ａの一方の面に設けられた粘着部、である。
【００５６】
図８に示すように、前記粘着部４８，５８は、前記防水継手材４２，５２の自由端辺４２ａ，５２ａを各外壁パネル４１，５１から離れる方向に配置したとき（図８に示す状態）、前記自由端辺４２ａ，５２ａの建物の外側（図８では上方向）の面に備えられている。また、前記粘着部４８，５８は、例えば自己融着テープやブチルテープなどに使用されているものであって、互いに圧着されることにより一体化され強く接合される性質を有しているものである。
【００５７】
次に、本実施例５の防水継手材４２，５２を使用しての、互いに隣り合う外壁パネルのジョイント方法を図９−１１に基づいて説明する。図９において、４１，５１は例えば金属製又はセメント系などの外壁パネル、４３は胴縁材である。前記外壁パネル４１，５１の基底部４１ａ，５１ａは、図示しないビスなどにより、前記胴縁材４３に固定されている。また、図９において、４２，５２は前記各外壁パネル４１，５１の突部４１ｂ，５１ｂにその一端（固定端辺）が固定されたシート状の例えばプラスチック製の防水継手材、４７，５７は前記防水継手材４２，５２の各固定端辺をそれぞれ前記各外壁パネル４１，５１の突部４１ｂ，５１ｂに確実に固定するための断面略Ｕ字状の金属製の取付金具、である。本実施例５では、図８で説明したように、前記各防水継手材４２，５２の前記固定端辺と反対側の端部（自由端辺）４２ａ，５２ａの一方の面に、それぞれ粘着部４８，５８が備えられている。
【００５８】
図９では、２つの外壁パネル４１，５１が互いに隣り合うように外壁垂木４３上に配置され、図示しないビスにより固定されている。このような２つの外壁パネル４１，５１を作業者がジョイントするときは、作業者は、まず、図１０に示すように、建物の内部から、前記各外壁パネル４１，５１の間の空間Ａ内に在る前記各防水継手材４２，５２の自由端辺４２ａ，５２ａを建物の内側方向（図示右方向）に移動させて、互いに対向させる。すると、前記各自由端辺４２ａ，５２ａの各粘着部４８，５８が互いに対向する状態（拝み合わせ状態）となる（図１０の状態）。そこで、作業者は、前記の拝み合わせ状態に対向している各粘着部４８，５８を互いに圧着し接合する。この作業は、作業者が建物の内部から前記空間Ａ内に両手を入れて行えばよいので、足場がなくても建物の内部に位置したままで、極めて容易に行うことができる。
【００５９】
次に、図１１に示すように、前記互いに圧着・接合された粘着部４８，５８がより確実に且つ長期的に接合・融合状態を維持できるように、それらの上に断面略Ｕ字状の金属製固定金具５９を固定させる。前記固定金具５９は、アルミニウム、ステンレスなどの金属製シートをＵ字状に成型したものを、前記互いに接合された粘着部４８，５８の上に被せた上で外圧を加えて挟み込んだものである。この作業も、作業者が建物の内部に位置したままで（足場は不要）容易に行うことができる。
【００６０】
なお、本実施例５では、図９−１１に示すように、前記各外壁パネル４１，５１の建物の外側に近い部分の互いに対向する端部に突部４１ｃ，５１ｃが形成されている。そして、本実施例５では、前記の図示上方の外壁パネル５１の建物の突部５１ｃの建物の内部側の近傍部分に、例えばシリコンゴムなどの弾力のある素材で製造された蓋５３を、所定の固定具５３ａ（例えばビスの固定金具など。なお、この固定具５３ａは例えばプラスチック製など素材のように金属製以外の素材により製造されるものでもよい）により予め取り付けられている。前記各外壁パネル４１，５１が互いにジョイントされた後は、前記蓋５３は、前記各外壁パネル４１，５１の各端部の突部４１ｃ，５１ｃにより建物の内部方向（図示右方向）に支持されるので、建物の外側（図示左方向）に移動して抜け落ちることなく、前記空間Ａ内に保持される。前記蓋５３の存在により、日光などが遮断されて前記防水継手材４２，５２が紫外線などで劣化することが防止されるようになる。
なお、本実施例５では、前述のように、蓋５３を固定具５３ａにより図９−１１の図示上側の外壁パネル５１に予め取付け・固定しているが、前述のような固定具５３ａを使用しないで、接着剤などを使用して一時的に取り付けておく（仮止めの状態）ようにしてもよい。すなわち、本実施例５においては、前記各外壁パネル４１，５１をジョイントした後は、前記各外壁パネル４１，５１の前記各突部４１ｃ，５１ｃにより前記蓋５３が前記空間Ａ内に保持され外側から落下しないように保持されるので、このジョイント後の段階では、前記蓋５３は前記外壁パネル４１から外れるようになっていても良い。また、本実施例５では、前述のように、図９−１１の図示上側の外壁パネル５１に蓋５３を予め取り付けるようにしているが、本発明では、図示下側の外壁パネル４１に蓋５３を予め取り付けておくようにしてもよい。
【００６１】
以上のように、本実施例５では、前記各防水継手材４２，５２の自由端辺４２ａ，５２ａを前記各外壁パネル４１，５１間の空間Ａから建物の内側方向に引き出して互いに対向させたとき、前記各自由端辺４２ａ，５２ａにそれぞれ設けられた各粘着部４８，５８が互いに「拝み合わせ状態」に対向された状態となる。よって、本実施例５では、作業者は、前記空間Ａの建物の内側から（戸外の「足場」を必要とすることなく）、自分の両手の指先などを使用して、前記各粘着部４８，５８をそれらが互いに近づく方向に押し付けるだけで、特に強い力を必要とすることなく、極めて容易に、前記の互いに「拝み合わせ状態」に対向された各粘着部４８，５８を接合することができる。
【００６２】
したがって、また、本実施例５では、前述のように、前記防水継手材４２，５２を建物の内側方向に取り出して、前記各防水継手材４２，５２の自由端辺４２ａ，５２ａを互いに「拝み合わせ状態」に接合するだけで、前記各外壁パネル４１，５１のジョイントを完了することができる。よって、本実施例５によれば、前記各外壁パネル４１，５１のジョイントのための作業を、全て、作業者が建物の内側に居るままで行うことができる（各外壁パネルのジョイントのために屋外に足場を立てることが全く不要になる）というメリットが得られる。また、特に、本実施例５では、前述のように、蓋５３を図９−１１の図示上側の外壁パネル５１に予め取り付けて、この蓋５３を取り付けた外壁パネル５１と他の（図９−１１の図示下側の）外壁パネル４１とをジョイントするようにしているので、各外壁パネル５１，４１同士のジョイントのための前記蓋５３の外壁部への設置をも含む全ての作業を、作業者が建物の内側に位置しながら（戸外に「足場」立てることをしないままで）、完了することができる。
【００６３】
また、本実施例５では、図１１で説明したように、前記の互いに「拝み合わせ状態」に対向された各粘着部４８，５８を接合した後に、前記の断面略Ｕ字状の固定金具５９を取り付けるようにしているので、前記各粘着部４８，５８間の接合をより長期的に保持できるようになる（前記各粘着部４８，５８を本実施例５のように互いに「拝み合わせ状態」に対向された状態で接合しない場合は、前記の断面略Ｕ字状の固定金具５９を取り付けることはできない）。
【００６４】
なお、本実施例５においては、図８−１１では図示していないが、前記前記防水継手材４２，５２の固定端部と前記各外壁パネル４１，５１の突部４１ｂ，５１ｂとの間、及び前記前記防水継手材４２，５２の固定端部と前記Ｕ字状固定金具５７との間に、柔軟な部材による緩衝材（前記実施例２に関する図４の符号２ｃ，２ｄ，１２ｃ，１２ｄなど参照）を介装することが望ましい。
【００６５】
また、本実施例５においては、図８−１１では図示していないが、前記前記防水継手材４２，５２の自由端部４２ａ，５２ａと前記Ｕ字状固定金具５９（図１１参照）との間に、柔軟な部材による緩衝材（前記実施例２に関する図４の符号２ｅ，１２ｅなど参照）を介装することが望ましい。
【実施例６】
【００６６】
次に、図１２は、建物を構成する要素としての雨仕舞役物（屋根の一部を構成する「水切、谷樋、ケラバ包み、笠木、軒包みなどの、雨が建物に入らないようにするために役立つ物」）につい説明するための図である。図１２において、６０は外壁パネル、７０は屋根パネル、６１は屋根パネル７０と外壁パネル６０との間を防水しながら繋ぐための水切、６２は屋根パネル７０上に落ちた雨水が流れてくるのを受けるために屋根パネル７０と外壁パネル６０との間に配置される谷樋、６３は屋根パネル７０と外壁パネル６０との間を防水しながら繋ぐためのゲバラ包み、６４は屋根７０より上にある装飾用の外壁パネル６０の上端面を被うようにして防水するための笠木、である。また、これ以外の屋根の一部を構成する雨仕舞役物としては、棟と屋根パネルとの間を防水しながら繋ぐための棟包み、などがある。これらの雨仕舞役物は、多くは鉄板などの金属製であるが、プラスチック製など、様々な素材のものがあり得る。
【００６７】
次に、図１３を参照して本発明の実施例６による屋根パネルと雨仕舞役物の一つである水切とのジョイント方法を説明する。本実施例６は、図１−３について前述した実施例１と実質的に同様であり、実施例１の２つの屋根パネルの中のいずれか一方の屋根パネルを水切に置き換えたものである。図１３（ａ）において、６０は外壁パネル、７０は屋根パネル、６１は外壁パネル６０と屋根パネル（例えば金属製）７０とを防水しながら繋ぐための水切（例えば金属製）、６１ａは前記水切６１の突部６１ｅに固定されたシート状（図１での防水継手材の説明参照）の防水継手材、６１ｂは前記防水継手材６１ａの先端に配置された粘着部、７０ａは前記屋根パネル７０の突部７０ｅに固定されたシート状の防水継手材、７０ｂは前記防水継手材７０ａの先端に配置された粘着部、である。
【００６８】
また、図１３（ｂ）において、６１ｃは、前記水切６１側の防水継手材６１ａと屋根パネル７０側の防水継手材７０ａとの各粘着部６１ｂ，７０ｂの接合部に上側から被せてこれを圧着保持するための断面略Ｕ字状の固定金具、である。また、６１ｄは、前記各粘着部６１ｂ，７０ｂの接合部と断面略Ｕ字状の固定金具６１ｃとを屋根側に移動させた後に前記水切６１と屋根パネル７０との間の空間を塞ぐことにより太陽からの紫外線を遮断して前記各防水継手材６１ａ，７０ａの劣化を防ぐようにした蓋部、である。
なお、図１３（ｂ）では、図面作成の都合上、図１３（ａ）で示す粘着部６１ｂ，７０ｂについて、図示を省略している（以下に言及する図１４（ｂ）、図１５（ｂ）、図１６（ｂ）、及び図１７（ｂ）についても同様である）。
【００６９】
本実施例６では、前述のように、水切６１側の防水継手材６１ａと屋根パネル７０側の防水継手材７０ａとを、各粘着部６１ｂ，７０ｂにより接合するようにしているので、前記の実施例１と同様に、水切６１と屋根パネル７０とのジョイントを屋根の上側からの作業のみで極めて容易に行うことができる。また、本実施例６では、前記の実施例１と同様に、水切６１と屋根パネル７０とのジョイント部分の防水を完全なものとすることができる。
【実施例７】
【００７０】
次に、図１４を参照して本発明の実施例７による屋根パネルと雨仕舞役物の一つである谷樋とのジョイント方法を説明する。本実施例７は、図１−３について前述した実施例１と実質的に同様であり、実施例１の２つの屋根パネルの中のいずれか一方の屋根パネルを谷樋に置き換えたものである。図１４（ａ）において、７０は屋根パネル、６２は屋根パネル７０から流れてくる雨水を受けるための谷樋（例えば金属製）、６２ａは前記谷樋６２の突部６２ｅに固定されたシート状（図１での防水継手材の説明参照）の防水継手材、６２ｂは前記防水継手材６２ａの先端に配置された粘着部、７０ａは前記屋根パネル７０の突部７０ｅに固定されたシート状の防水継手材、７０ｂは前記防水継手材７０ａの先端に配置された粘着部、である。
【００７１】
また、図１４（ｂ）において、６２ｃは、前記谷樋６２側の防水継手材６２ａと屋根パネル７０側の防水継手材７０ａとの各粘着部６２ｂ，７０ｂの接合部に上側から被せてこれを圧着保持するための断面略Ｕ字状の固定金具、である。また、６２ｄは、前記各粘着部６２ｂ，７０ｂの接合部と断面略Ｕ字状の固定金具６２ｃとを屋根側に移動させた後に前記谷樋６２と屋根パネル７０との間の空間を塞ぐことにより太陽からの紫外線を遮断して前記各防水継手材６２ａ，７０ａの劣化を防ぐようにした蓋部、である。
【００７２】
本実施例７では、前述のように、谷樋６２側の防水継手材６２ａと屋根パネル７０側の防水継手材７０ａとを、各粘着部６２ｂ，７０ｂにより接合するようにしているので、前記の実施例１と同様に、谷樋６２と屋根パネル７０とのジョイントを屋根の上側からの作業のみで極めて容易に行うことができる。また、本実施例７では、前記の実施例１と同様に、谷樋６２と屋根パネル７０とのジョイント部分の防水を完全なものとすることができる。
【実施例８】
【００７３】
次に、図１５を参照して本発明の実施例８による屋根パネルと雨仕舞役物の一つであるケラバ包みとのジョイント方法を説明する。本実施例８は、図１−３について前述した実施例１と実質的に同様であり、実施例１の２つの屋根パネルの中のいずれか一方の屋根パネルをケラバ包みに置き換えたものである。図１５（ａ）において、６０は外壁パネル、７０は屋根パネル、６３は外壁パネル６０と屋根パネル７０との間を防水しながら繋ぐためのケラバ包み（例えば金属製）、６３ａは前記ケラバ包み６３の突部６３ｅに固定されたシート状（図１での防水継手材の説明参照）の防水継手材、６３ｂは前記防水継手材６３ａの先端に配置された粘着部、７０ａは前記屋根パネル７０の突部７０ｅに固定されたシート状の防水継手材、７０ｂは前記防水継手材７０ａの先端に配置された粘着部、である。
【００７４】
また、図１５（ｂ）において、６３ｃは、前記ケラバ包み６３側の防水継手材６３ａと屋根パネル７０側の防水継手材７０ａとの各粘着部６３ｂ，７０ｂの接合部に上側から被せてこれを圧着保持するための断面略Ｕ字状の固定金具、である。また、６３ｄは、前記各粘着部６３ｂ，７０ｂの接合部と断面略Ｕ字状の固定金具６３ｃとを屋根側に移動させた後に前記ケラバ包み６３と屋根パネル７０との間の空間を塞ぐことにより太陽からの紫外線を遮断して前記各防水継手材６３ａ，７０ａの劣化を防ぐようにした蓋部、である。
【００７５】
本実施例８では、前述のように、ケラバ包み６３側の防水継手材６３ａと屋根パネル７０側の防水継手材７０ａとを、各粘着部６３ｂ，７０ｂにより接合するようにしているので、前記の実施例１と同様に、ケラバ包み６３と屋根パネル７０とのジョイントを屋根の上側からの作業のみで極めて容易に行うことができる。また、本実施例８は、前記の実施例１と同様に、ケラバ包み６３と屋根パネル７０とのジョイント部分の防水を完全なものとすることができる。
【実施例９】
【００７６】
次に、図１６を参照して本発明の実施例９よる屋根パネルネと雨仕舞役物の一つである棟包みとのジョイント方法を説明する。本実施例９は、図１−３について前述した実施例１と実質的に同様であり、実施例１の２つの屋根パネルの中のいずれか一方の屋根パネルを棟包みに置き換えたものである。図１６（ａ）において、７１は棟包み（例えば金属製）、７０は屋根パネル、７１ａは前記棟包み７１の突部７１ｅに固定されたシート状（図１での防水継手材の説明参照）の防水継手材、７１ｂは前記防水継手材７１ａの先端に配置された粘着部、７０ａは前記屋根パネル７０の突部７０ｅに固定されたシート状の防水継手材、７０ｂは前記防水継手材７０ａの先端に配置された粘着部、である。
【００７７】
また、図１６（ｂ）において、７１ｃは、前記棟包み７１側の防水継手材７１ａと屋根パネル７０側の防水継手材７０ａとの各粘着部７１ｂ，７０ｂの接合部に上側から被せてこれを圧着保持するための断面略Ｕ字状の固定金具、である。また、７１ｄは、前記各粘着部７１ｂ，７０ｂの接合部と断面略Ｕ字状の固定金具７１ｃとを屋根側に移動させた後に前記棟包み７１と屋根パネル７０との間の空間を塞ぐことにより太陽からの紫外線を遮断して前記各防水継手材７１ａ，７０ａの劣化を防ぐようにした蓋部、である。
【００７８】
本実施例９では、前述のように、棟包み７１側の防水継手材７１ａと屋根パネル７０側の防水継手材７０ａとを、各粘着部７１ｂ，７０ｂにより接合するようにしているので、前記の実施例１と同様に、棟包み７１と屋根パネル７０とのジョイントを屋根の上側からの作業のみで極めて容易に行うことができる。また、本実施例９は、前記の実施例１と同様に、棟包み７１と屋根パネル７０とのジョイント部分の防水を完全なものとすることができる。
【実施例１０】
【００７９】
次に、図１７を参照して本発明の実施例１０よる雨仕舞役物同士、例えば笠木同士のジョイント方法を説明する。本実施例１０は、図１−３について前述した実施例１と実質的に同様であり、実施例１の２つの屋根パネルの中の双方を雨仕舞役物、例えば笠木に置き換えたものである。
【００８０】
図１７（ａ）は、従来の笠木を示す図で、７２，７３，７４はそれぞれ外壁の外装材の上端面に被せて防水するための笠木（図１２参照）である。図１７（ａ）に示す従来例では、各笠木７２，７３，７４は、各端部が互いに一部だけ重ねられることにより、互いにジョイントされている。
【００８１】
次に、図１７（ｂ）は本実施例１０を示すものである。図１７（ｂ）において、７２ａ，７３ａは前記各笠木７２，７３の突部７２ｅ，７３ｅにそれぞれ固定されたシート状（図１での防水継手材の説明参照）の防水継手材、である。また、７２ｂ，７３ｂは前記防水継手材７２ａ，７３ａの先端にそれぞれ配置された粘着部、である。
【００８２】
また、図１７（ｃ）において、８１は、前記笠木７２側の防水継手材７２ａと前記笠木７３側の防水継手材７３ａとの各粘着部７２ｂ，７３ｂの接合部に上側から被せてこれを圧着保持するための断面略Ｕ字状の固定金具、である。また、８２は、前記各粘着部７２ｂ，７３ｂの接合部と断面略Ｕ字状の固定金具８１とを屋根側に移動させた後に前記笠木７２との間の空間を塞ぐことにより太陽からの紫外線を遮断して前記各防水継手材７２ａ，７３ａの劣化を防ぐようにした蓋部、である。
【００８３】
本実施例１０では、図１７（ｂ）（ｃ）に示すように、前記笠木７２側の防水継手材７２ａと前記笠木７３側の防水継手材７３ａとを、各粘着部７２ｂ，７３ｂにより接合するようにしているので、前記の実施例１と同様に、前記笠木７２と前記笠木７３とのジョイントを屋根の上側からの作業のみで極めて容易に行うことができる。また、本実施例１０は、前記の実施例１と同様に、前記笠木７２と前記笠木７３とのジョイント部分の防水を完全なものとすることができる。
【００８４】
以上、本発明の各実施例について説明したが、本発明はこれらに限定されるものではなく、様々な変更が可能である。例えば、前記の実施例１０では、笠木７２と笠木７３との長手方向のジョイントのために本発明を使用した例を示したが、本発明では、笠木７２と笠木７３との長手方向のジョイントだけでなく、水切と水切との長手方向のジョイント、谷樋と谷樋との長手方向のジョイント、ケバラ包みとケバラ包みとの長手方向のジョイント、棟包みと棟包みとの長手方向のジョイントなどにも適用できることは勿論である。
【００８５】
また、前記の実施例６−１０では、各雨仕舞役物は金属製のものを示したが、本発明では、プラスチック製など様々なものを採用できる。また、前記各実施例に示した屋根パネルや外壁パネルについても、金属製、セメント素材製、プラスチック製など様々な素材のものを採用できる。
【００８６】
また、前記各実施例においては、断面略Ｕ字状の固定金具（取付金具）７，１７，１９，２５，２６，４７，５７，６１ｃ，６２ｃ，６３ｃ，７１ｃ，８１などを例えば金属製のものとしているが、本発明の「断面略Ｕ字状の固定具」は金属製に限られるものではなく、防水継手材を挟み込んで保持できるものであれば材質は何でも良い。
【図面の簡単な説明】
【００８７】
【図１】本発明の実施例１による屋根パネルの防水継手材を説明するための図。
【図２】本実施例１による屋根パネルのジョイント方法を説明するための図。
【図３】本実施例１による防水継手材を示す図。
【図４】本発明の実施例２による屋根パネルのジョイント方法を説明するための図。
【図５】本発明の実施例３による屋根パネルのジョイント方法を説明するための図。
【図６】本実施例３による屋根パネルのジョイント方法を説明するための図。
【図７】本発明の実施例４による屋根パネルのジョイント方法を説明するための図。
【図８】本発明の実施例５による外壁パネルのジョイント方法を説明するための図。
【図９】本実施例５による屋根パネルのジョイント方法を説明するための図。
【図１０】本実施例５による屋根パネルのジョイント方法を説明するための図。
【図１１】本実施例５による屋根パネルのジョイント方法を説明するための図。
【図１２】本実施例６による屋根パネルと雨仕舞役物のジョイント方法を説明するための図。
【図１３】本実施例６による屋根パネルと雨仕舞役物のジョイント方法を説明するための図。
【図１４】本実施例７による屋根パネルと雨仕舞役物のジョイント方法を説明するための図。
【図１５】本実施例８による屋根パネルと雨仕舞役物のジョイント方法を説明するための図。
【図１６】本実施例９による屋根パネルと雨仕舞役物のジョイント方法を説明するための図。
【図１７】本実施例１０による雨仕舞役物同士のジョイント方法を説明するための図。
【図１８】従来の屋根パネルのジョイント方法を説明するための図。
【符号の説明】
【００８８】
１，２，９，１１，２１，２２            屋根パネル
１ａ，１１ａ，４１ａ，５１ａ            基底部
１ａ，１１ａ   ビス
１ａ，１１ａ，４１ｃ，５１ｃ            上端部
１ｂ，１１ｂ，２１ａ，２２ａ，４１ｂ，５１ｂ        突部
２，１２，２３，２４，４２，５２，６１ａ，６２ａ，６３ａ，７０ａ，７１ａ，防水継手材
２３ａ，２４ａ            固定端辺
２ａ，１２ａ，２３ｂ，２４ｂ，４２ａ，５２ａ        自由端辺
２ａ，１２ａ，８，１８，３１，３２，４８，５８     粘着部
２ｃ，２ｄ，２ｅ，２７ａ，２８ａ，２９ａ，３０ａ  緩衝材
３        屋根垂木
５        防水シート
７，１７，１９，２５，２６，５７，５９       断面Ｕ字状固定金具
１３，３４，５３，６１ｄ，６２ｄ，６３ｄ，７１ｄ，８２   蓋
２５，２６       取付金具
３３，５９，６１ｃ，６２ｃ，６３ｃ，７１ｃ，８１  固定金具
４１，５１       外壁パネル
４３     胴縁材
４３     外壁垂木
５３ａ  固定具
６１     水切
６２     谷樋
６３     ケバラ包み
７１     棟包み
７２，７３，７４        笠木
【図１】
2007192009.tif 000003
【図２】
2007192009.tif 000004
【図３】
2007192009.tif 000005
【図４】
2007192009.tif 000006
【図５】
2007192009.tif 000007
【図６】
2007192009.tif 000008
【図７】
2007192009.tif 000009
【図８】
2007192009.tif 000010
【図９】
2007192009.tif 000011
【図１０】
2007192009.tif 000012
【図１１】
2007192009.tif 000013
【図１２】
2007192009.tif 000014
【図１３】
2007192009.tif 000015
【図１４】
2007192009.tif 000016
【図１５】
2007192009.tif 000017
【図１６】
2007192009.tif 000018
【図１７】
2007192009.tif 000019
【図１８】
2007192009.tif 000020